(57)【要約】【課題】通常パネルと同じ底面形状のパネルに使用でき、建物の変形時にパネルと自重受け金具との干渉を避けパネルの損傷を防止し、さらに自重受け金具設置部分のパネル横目地の幅を広げることなく取付けが可能な、壁パネルの取付金具および取付構造を提供する。【解決手段】本発明の壁パネルの取付金具は、壁パネル底面に形成された溝形状に合うよう断面が左右対称の台形に折り曲げられた鋼材の、上面に釘類打ち込み用の孔を形成し、かつ上面中央部において下端が断面円弧状に下向きに突出しており、この突出部の頂点が金具の最下に位置するものである。また、本発明の壁パネルの取付構造は、前記取付金具を壁パネルの底面に形成された溝にはめ込み、金具上面の孔に釘類などを打ち込むことで設置固定し、前記取付金具の断面円弧状の突出部を、パネル自重受け金具に載置させて壁パネルを支持するものである。【選択図】  図４
2006016841.tif 000002
【特許請求の範囲】
【請求項１】
壁パネル底面に形成された溝形状に合うよう断面が左右対称の台形に折り曲げられた鋼材の、上面に釘類打ち込み用の孔を形成し、かつ上面中央部において下端が断面円弧状に下向きに突出しており、この突出部の頂点が金具の最下に位置することを特徴とする壁パネルの取付金具。
【請求項２】
前記取付金具を壁パネルの底面に形成された溝にはめ込み、金具上面の孔に釘類などを打ち込むことで設置固定し、前記取付金具の断面円弧状の突出部を、パネル自重受け金具に載置させて壁パネルを支持することを特徴とする壁パネルの取付構造。
【発明の詳細な説明】
【技術分野】
【０００１】
本発明は、ＡＬＣパネルなど（以下、単にパネルという）の取付用金具および該取付金具を用いた取付構造に関するものである。
【背景技術】
【０００２】
従来、建築物では壁をパネルによって構成することが多くあり、このような建物では、パネルの自重は躯体に取付けられたアングル等の下地に自重受け金具を取付けることによって支持している。
【０００３】
パネルを横積みして壁面を構成する場合においても、その自重受け金具においては、図1に示すように、一般的に柱などの躯体２に下地アングル３が溶接固定されている。さらに下地アングル３の垂直面にパネル数枚ごとに、アングル材などからなる自重受け金具４が溶接固定されており、その上に位置するようパネル１が取付けられている。
【発明の開示】
【発明が解決しようとする課題】
【０００４】
しかし、地震力や風圧力などの外力により建物に変形が起こると、それに伴って自重受け金具４も一体に傾斜するため、図２に示したように壁パネル１の底面小口が自重受け金具４と干渉して壁パネル１を損傷することがあった。
【０００５】
また、パネル１と自重受け金具４との干渉を避けるため、壁パネル１の底面と自重受け金具４の間に干渉防止用の金具５（特公平６−２３４５９号公報）などを用いる方法もあるが、この方法を用いると、自重受け金具４が設置される部分のパネル横目地６の幅が金具５の厚さ分だけ通常自重受け金具が設置される横目地幅より大きくなってしまうため、外観上好ましくないことや、この部分のパネル底面加工を変えなければならないため現場でのパネル選別作業に手間がかかること、さらに該当目地部分のシーリング材が余分に必要となるなどコスト面でも問題となることがあった。
【０００６】
そこで本発明の目的は、通常パネルと同じ底面形状のパネルに使用でき、建物の変形時にパネルと自重受け金具との干渉を避けパネルの損傷を防止し、さらに自重受け金具設置部分のパネル横目地の幅を広げることなく取付けが可能な、壁パネルの取付金具および取付構造を提供することにある。
【特許文献１】特公平６−２３４５９号公報
【課題を解決するための手段】
【０００７】
以上のような課題を解決するために、本発明に係る取付金具は、壁パネル底面に通常形成される溝形状に合うよう断面が左右対称の台形に折り曲げられた鋼材の、上面に釘類打ち込み用の孔を形成し、かつ上面中央部において下端が断面円弧状に下向きに突出しており、この突出部の頂点が金具の最下に位置することを特徴とする。
【０００８】
本発明の壁パネルの取付金具では、金具を壁パネル底面に形成された溝にはめ込むように設置し、さらに突出部によって壁パネルの底面を間隔を持って自重受け金具に載置させることができる。この時、突出部は断面円弧状の形状のため自重受け金具に点接触する。
【０００９】
また、本発明の取付金具においては、突出部を金具上面から設ける、すなわちパネル底面の溝上部付近から突出しているため、この突出部の最下部をパネル底面より若干下がった位置にすることが出来る。つまり、パネル底面から露出する部分はこの突出部だけとなる。
【発明の効果】
【００１０】
本発明の金具は、地震などの外力によるパネルへの応力集中および、自重受け金具変形時のパネルとの干渉を避けることができる。よって、建て込まれたパネルは長期にわたって損傷することがない。また、金具装着部分のパネルの底面加工形状が他部分と同様でよいため、現場におけるパネルの選別や製品発注時の手間を省くことができる。さらに、該当部分のパネル目地幅を極端に広げる必要がないことで、外観を損ねることなく、また目地シーリング材の数量増加を抑えることができる。
【発明を実施するための最良の形態】
【００１１】
本発明の壁パネルの取付金具は、壁パネル底面に形成された溝形状に合うよう断面が左右対称の台形に折り曲げられた鋼材の、上面に釘類打ち込み用の孔を形成し、かつ上面中央部において下端が断面円弧状に下向きに突出しており、この突出部の頂点が金具の最下に位置するものである。
【００１２】
また、本発明の壁パネルの取付構造は、前記取付金具を壁パネルの底面に形成された溝にはめ込み、金具上面の孔に釘類などを打ち込むことで設置固定し、前記取付金具の断面円弧状の突出部を、パネル自重受け金具に載置させて壁パネルを支持するものである。
【実施例１】
【００１３】
以下、本発明の実施例の壁パネルの取付金具および取付構造を図４〜８に基づいて具体的に説明する。図４は本発明に係る取付金具が適用される壁パネルの取付構造の一実施形態を示す立面図である。図４において、壁パネル１は建物躯体２に溶接固定された縦アングルからなる下地鋼材３に、取付金具を介し、横積み配置されている。また、下地鋼材３にはパネル１の自重を受ける受け金具４がパネル数枚ごとの間隔で溶接固定されており、この自重受け金具４とパネル１の底面との間には取付金具１１が設置されている。
【００１４】
図５は、本発明の取付金具１１の拡大斜視図であり、図６は取付金具１１の拡大立面図である。取付金具１１は壁パネル底面に通常形成される溝形状に合うよう断面が左右対称の台形に折り曲げられた鋼材の、上面の中央部において下端が断面円弧状に下向きに突出しているおり、この突出部１１ａの下部１１ｂが前記金具１１の最下に位置する。
【００１５】
図７に示すように、この壁パネルの取付構造では、取付金具１１を壁パネル底面にあらかじめ設けられた溝１ｂにはめこむように設置し、金物上面に設けられた孔１１ｃを通しアルミカットネイルなどの釘類１２で固定する。
【００１６】
図８は、本発明の取付構造の断面図である。取付金具１１の突出部１１ａがパネルの底面１ａから若干下がった位置まであるため、パネルの底面１ａと自重受け金具４との間に、自重受け金具４が変位してもパネルの底面１ａと干渉することを避けるための隙間を確保することができる。
【００１７】
取付金具１１の突出部１１ａは断面円弧状であり自重受け金具４と点接触するため、自重受け金具４の変位の方向に関らず、安定してパネル１の自重を自重受け金具４に伝えることができる。
【図面の簡単な説明】
【００１８】
【図１】従来の一実施例の正面図である。
【図２】従来の一実施例における層間変形時の自重受け部分の拡大図である。
【図３】従来の対策の一実施例である。
【図４】本発明に係る取付金具が適用される壁パネルの取付構造の一実施形態を示す斜視図である。
【図５】本発明の取付金具の拡大斜視図である。
【図６】本発明の取付金具の拡大立面図である。
【図７】本発明の取付金具の取付例を示す斜視図である。
【図８】本発明の取付断面詳細図である。
【符号の説明】
【００１９】
１      パネル
１ａ    パネル底面
１ｂ    パネル底面溝加工
２      躯体
３      下地アングル
４      自重受け金具
５      従来の干渉防止用金具
６      パネル横目地
１１    取付金具
１１ａ  取付金具の突出部
１１ｂ  取付金具の突出下部
１１ｃ  取付金具の上面に設けられた孔
１２    アルミカットネイルなどの釘類
【図１】
2006016841.tif 000003
【図２】
2006016841.tif 000004
【図３】
2006016841.tif 000005
【図４】
2006016841.tif 000006
【図５】
2006016841.tif 000007
【図６】
2006016841.tif 000008
【図７】
2006016841.tif 000009
【図８】
2006016841.tif 000010